(57)【要約】【課題】表示パネルにベゼルを被せて組み付ける際に、表示パネルに接続されたＣＯＦが、適切な位置および状態で収納されていることを確認できる表示装置を提供する。【解決手段】表示画面を有する表示パネル２と、表示パネル２の縁辺に接続され、表示パネル２を駆動するＣＯＦ（Chip On Film）８と、ＣＯＦ８を表示画面に対して反対側に折り曲げた状態で、表示画面を縁取り、表示パネル２を収納するベゼル３と、ＣＯＦ８の折り曲げられた端部を視認できるように、ベゼル３の前記端部に対向する位置に設けられた覗き孔９，１０とを備える構成である。【選択図】図６
2020003526.tif 000002
【特許請求の範囲】
【請求項１】
表示画面および前記表示画面の周辺に位置する周辺領域を含む前面を有する表示パネルと、
前記表示パネルの前記周辺領域を前記前面の反対側から保持する、前記前面に略直交する側面を有するパネルシャーシと、
前記表示パネルの前記周辺領域と前記パネルシャーシの前記側面とを覆うベゼルと、
前記表示パネルの前記周辺領域に接続された複数の駆動回路と
を有し、
前記複数の駆動回路は、フィルム基板にＣＯＦ実装されたドライバＩＣを含み、
前記フィルム基板は、第１端辺と、前記第１端辺の反対側の第２端辺とを有し、前記第１端辺が前記周辺領域上に位置し、前記第２端辺が前記パネルシャーシの前記側面に位置するように曲げられており、
前記ベゼルは、前記フィルム基板の前記第２端辺の一部に対向する少なくとも１つの開口部を有する、表示装置。
【請求項２】
前記フィルム基板は方形であり、前記少なくとも１つの開口部は、前記第２端辺の両端部に対向する２つの開口部を含む請求項１に記載の表示装置。
【請求項３】
前記少なくとも１つの開口部は、透明部材により封止されている請求項１又は２に記載の表示装置。
【発明の詳細な説明】
【技術分野】
【０００１】
本発明は、表示画面を有する表示パネルを備え、表示パネルを駆動するＣＯＦ（Chip On Film）が、表示パネルの縁辺に接続され、ベゼルが、ＣＯＦを折り曲げた状態で、表示パネルを収納する表示装置に関するものである。
【背景技術】
【０００２】
表示パネルに液晶パネル又は有機ＥＬ（Electroluminescence）パネル等を使用した表示装置では、表示パネルを駆動する駆動回路は、例えばドライバＩＣとして、フィルム基板にＣＯＦ（Chip On Film）実装されている（例えば特許文献１参照）。
【先行技術文献】
【特許文献】
【０００３】
【特許文献１】特許第５４１２８２１号公報
【発明の概要】
【発明が解決しようとする課題】
【０００４】
本発明者の検討によると、フィルム基板にＣＯＦ実装された駆動回路を有する表示装置は、正常に動作しないおそれがあることが分かった。詳細は、後述する。
【０００５】
本発明は、このような事情に鑑みてなされたものであり、表示装置が有するＣＯＦ実装された駆動回路の動作不良の発生を容易に回避することを目的とする。
【課題を解決するための手段】
【０００６】
本発明に係る表示装置は、表示画面を有する表示パネルと、前記表示パネルの縁辺に接続され、前記表示パネルを駆動するＣＯＦ（Chip On Film）と、前記ＣＯＦを前記表示画面に対して反対側に折り曲げた状態で、前記表示画面を縁取り、前記表示パネルを収納するベゼルとを備えており、前記ベゼルは、前記ＣＯＦの折り曲げられた端部に対向する位置に、覗き孔を有することを特徴とする。
【０００７】
この表示装置では、表示パネルを駆動するＣＯＦが、表示パネルの縁辺に接続され、ベゼルが、ＣＯＦを表示画面に対して反対側に折り曲げた状態で、表示画面を縁取り、表示パネルを収納する。ＣＯＦの折り曲げられた端部を視認できるように、ベゼルにはＣＯＦの折り曲げられた端部に対向する位置に覗き孔が設けられているので、ＣＯＦが適切な位置および状態で収納されていることを容易に確認できる。
【発明の効果】
【０００８】
本発明に係る表示装置によれば、表示装置が有するＣＯＦ実装された駆動回路の動作不良の発生を容易に回避することができる。
【図面の簡単な説明】
【０００９】
【図１】表示パネルにベゼルを被せて組み付ける際のＣＯＦの適切な位置および状態の例を示す説明図である。
【図２】表示パネルにベゼルを被せて組み付ける際のＣＯＦの不適切な位置および状態の例を示す説明図である。
【図３】表示装置の外観の例を示す斜視図である。
【図４】表示装置の概略構成例を示す分解斜視図である。
【図５】表示パネルにベゼルを被せて組み付ける際のＣＯＦを折り曲げた状態の例を示す断面図である。
【図６】表示パネルにベゼルを被せて組み付ける際の覗き孔、ＣＯＦの適切な位置および状態の例を示す説明図である。
【図７】ＣＯＦの形状が方形でない表示装置にあって、表示パネルにベゼルを被せて組み付ける際の覗き孔、ＣＯＦの適切な位置および状態の例を示す説明図である。
【図８】ＣＯＦの形状が方形でない他の表示装置にあって、表示パネルにベゼルを被せて組み付ける際の覗き孔、ＣＯＦの適切な位置および状態の例を示す説明図である。
【発明を実施するための形態】
【００１０】
まず、表示装置において、ＣＯＦ実装された駆動回路（ドライバＩＣ）が動作不良を起こす原因について、図１および図２を参照して説明する。なお、「ＣＯＦ」は、通常、ＩＣチップがフィルム基板に実装される実装方式（実装技術）を指すが、本明細書においては、ＩＣチップが実装されたフィルム基板を指して用いることもある。
【００１１】
例えば、表示装置は、ＣＯＦとして、ソースドライバＩＣを搭載したソースＣＯＦと、ゲートドライバＩＣを搭載したゲートＣＯＦとを有する。一般に、表示装置は、複数のソースＣＯＦおよび複数のゲートＣＯＦを有する。
【００１２】
ソースＣＯＦの場合には、ソースＣＯＦの一辺には、表示パネルと接続する為の端子が並べて設けられており、これらの端子と表示パネルの例えば下部の縁辺に設けられた端子とが圧着接続され、ソースＣＯＦの表示パネルとの接続部の反対側の辺には、ソース基板が接続されている。
【００１３】
これに対して、ゲートＣＯＦの場合には、ゲートＣＯＦの一方の辺には、表示パネルと接続する為の端子が並べて設けられており、これらの端子と表示パネルの例えば左右の何れかの縁辺に設けられた端子とが圧着接続され、ゲートＣＯＦの表示パネルとの接続部の反対側の辺は、何にも接続されていない。
【００１４】
表示パネルは、ベゼルに収納されており、ベゼルは、表示パネルの表示画面側から被せられ、表示画面を縁取っている。ベゼルが、表示パネルの表示画面側から被せられる際に、反対側の辺が何れにも接続されていないゲートＣＯＦは、ベゼルの内面に沿って、表示画面に対して略直角に折り曲げられ、これにより、表示装置の狭額縁化が実現されている。
【００１５】
表示装置では、図１に示すように、パネルシャーシ５により保持された表示パネル２に、ベゼル３０を表示画面側から被せて組み付ける際に、ＣＯＦ８は、ベゼル３０の内面に沿って折り曲げられて収納される。
【００１６】
ところが、この際、図２に示すように、ＣＯＦ８が捲れて折り曲げられることがある。この場合、フィルム上のパターン断線、端子圧着部の乖離等を引き起こすことがある。このように、ＣＯＦ実装された駆動回路が正常に動作しないことがある。図２に示す表示装置においては、ベゼル３０内のＣＯＦ８がどのような状態であるのかベゼル３０の外側から確認できないので修正されず、ＣＯＦ実装された駆動回路が正常に動作しないという問題の発生を容易に回避することができない。
【００１７】
本発明は、このような事情に鑑みてなされたものであり、表示パネルにベゼルを被せて組み付ける際に、表示パネルに接続されたＣＯＦが、適切な位置および状態で収納されていることを確認できる表示装置を提供することを目的とする。
【００１８】
以下で述べるように、本発明のある実施形態に係る表示装置によれば、表示パネルにベゼルを被せて組み付ける際に、表示パネルに接続されたＣＯＦが適切な位置および状態で収納されていることを容易に確認できる表示装置を実現することができる。
【００１９】
以下に、本発明をその実施例を示す図面に基づき説明する。
（実施例１）
図３は、表示装置の外観の例を示す斜視図、図４は、表示装置の概略構成例を示す分解斜視図である。
【００２０】
表示装置１は、表示画面２ａおよび表示画面２ａの周辺に位置する周辺領域を含む前面を有する表示パネル２と、表示パネル２の周辺領域を前面の反対側から保持する、前面に略直交する側面を有するパネルシャーシ５と、表示パネル２の周辺領域とパネルシャーシ５の側面とを覆うベゼル３と、表示パネル２の周辺領域に形成された複数の端子に接続された複数の駆動回路とを有する。複数の駆動回路は、フィルム基板８にＣＯＦ実装されたドライバＩＣ１１を含む。フィルム基板８は、第１端辺と、第１端辺の反対側の第２端辺とを有し、第１端辺が周辺領域上に位置し、第２端辺がパネルシャーシ５の側面に位置するように曲げられている。ベゼル３は、フィルム基板８の第２端辺の一部に対向する少なくとも１つの開口部（ここでは２つの開口部）９および１０を有する。
【００２１】
なお、「第１端辺」および「第２端辺」は、単一の線分（直線）に限られず、複数の直線部分を含んでいてもよいし、曲線部分を含んでいてもよい。
【００２２】
この例では、フィルム基板８には、表示パネル２の表示画面２ａに形成されたゲートバスラインに走査信号電圧を供給するゲートドライバＩＣ（ゲート用駆動回路）１１が実装されている。フィルム基板８の第１端辺は、表示パネル２の周辺領域に接続されており、フィルム基板８の第２端辺は、他のプリント基板（ＦＰＣ）に接続されていない（フリーである）。すなわち、フィルム基板８に実装されたゲートドライバＩＣ１１は、フィルム基板８の第１端辺側から表示パネル２の周辺領域に形成された複数の端子に接続されている。ゲートドライバＩＣ１１を制御する制御信号（例えばクロック信号、水平同期信号）は、表示パネル２の周辺領域に形成された複数の配線を介してゲートドライバＩＣ１１に供給される。
【００２３】
表示装置１は、例えば、表示パネル２の表示画面２ａに形成されたソースバスラインに表示信号電圧を供給するソースドライバＩＣ（ソース用駆動回路）と、ソースドライバＩＣを制御するための制御回路とをさらに有する。制御回路からソースドライバＩＣに、ソースドライバＩＣを制御する制御信号（例えばクロック信号）が供給される。ソースドライバＩＣはソースＣＯＦ（フィルム基板）に実装されており、制御回路はソース基板に実装されている。ソースＣＯＦは、第１端辺および第１端辺の反対側の第２端辺を有し、第１端辺は表示パネル２の周辺領域に接続されており、第２端辺はソース基板に接続されている。すなわち、ソースＣＯＦに実装されたソースドライバＩＣは、フィルム基板の第１端辺側から表示パネル２の周辺領域に形成された複数の端子に接続されており、第２端辺側からソース基板に実装された制御回路に接続されている。
【００２４】
この表示装置１は、例えば液晶表示装置であり、表示パネル（液晶パネル）２下方に設けられた脚部２０により支持されており、表示パネル２の周縁を、額縁体であるベゼル３およびフロントキャビネットが覆い、表示パネル２の背面側をバックライトシャーシ（以下、ＢＬシャーシと記載）４およびバックキャビネットが覆っている。
【００２５】
この表示装置１は、図４に示す如く、ベゼル３、表示パネル２、パネルシャーシ５、導光板６および光源部７、ＢＬシャーシ４をこの順に重ねて構成されている。表示パネル２は、画像を表示する矩形の表示画面（表示領域）２ａを有する。ベゼル３は、金属製の矩形枠体であり、外周縁から垂直に突設され、表示パネル２の表示画面２ａの周縁を縁取る板部を有する。
【００２６】
表示パネル２の周辺領域の右部の縁辺には、表示パネル２を駆動するゲートドライバＩＣを有するＩＣチップ１１が搭載された長方形のＣＯＦ（Chip On Film）８が接続されている。このＣＯＦ８は、走査信号を表示パネル２に供給するゲートＣＯＦである。ＣＯＦ８上の一方の辺（第１端辺）には、表示パネル２と接続する為の端子が並べて設けられており、これらの端子と表示パネル２の縁辺に設けられた端子とが圧着接続される。ＣＯＦ８の表示パネル２に接続されていない側の辺（第２端辺）は、何れにも接続されていない。
【００２７】
表示パネル２にベゼル３を表示画面２ａ側から被せて組み付ける際は、図５の断面図に示すように、ＣＯＦ８は、ベゼル３の内面に沿って表示画面２ａに対して反対側に略９０度折り曲げられて、ベゼル３内に収納される。
【００２８】
ベゼル３の右部の側板には、折り曲げられて収納されるＣＯＦ８の２つの端部に対向する２つの位置に２つの覗き孔（開口部）９，１０が設けられている。これらの覗き孔９，１０を介して、収納されるＣＯＦ８の２つの端部を個別に視認することが可能である。覗き孔９，１０の大きさについては、安易に大きくすると、ベゼル３の強度低下およびねじれを引き起こす要因となるので、小さいことが好ましい。ＣＯＦ８の形状が長方形である場合は、ＣＯＦ８の折り曲げられた部分の両端部を確認できる位置（２箇所）に覗き孔９，１０を設けることが好ましい。すなわち、フィルム基板８が方形（長方形および正方形を含む）である場合、ベゼル３は、第２端辺の両端部に対向する２つの開口部９および１０を含むことが好ましい。これにより、ＣＯＦ８の収納状態は確認可能であり、大きさについては端部の先端が視認できる最小サイズであれば良い。但し、組立バラツキについては考慮が必要である。
【００２９】
パネルシャーシ５は、ベゼル３よりも若干小さく形成され、ベゼル３に収納される樹脂製の矩形枠体であり、表示パネル２を背面および周囲から保持する。導光板６は、透明度の高いアクリル樹脂、ポリカーボネート樹脂等の合成樹脂製であり、矩形板状に形成されている。導光板６の表示パネル２に対向する面には光学シートが、背面（ＢＬシャーシ４に対向する面）には反射シートが被着されており、光源部７に対向する端面から入射された光源部７の光を、表示パネル２の背面に万遍無く均等に照射する。
【００３０】
光源部７は、細長い短冊状の基板に複数の光源が実装されている。その光源は、例えば発光ダイオード（ＬＥＤ：Light Emitting Diode）であり、基板の長手方向に並べて実装されている。ＢＬシャーシ４は、矩形の皿形状を有する金属製部材であり、開口部には、外向きに張り出す鍔部が周設されている。ＢＬシャーシ４の鍔部の外形寸法は、パネルシャーシ５の外形寸法と略等しい構成である。
【００３１】
表示装置１は、ＢＬシャーシ４の底板に導光板６、側板に光源部７をそれぞれ載置し、その上にパネルシャーシ５を被せ、パネルシャーシ５の上に表示パネル２を載置し、その上にベゼル３を被せ、図示しない締結部材にてベゼル３、パネルシャーシ５およびＢＬシャーシ４を締結して構成されている。
【００３２】
このような構成の表示装置１では、図６に示すように、表示パネル２にベゼル３を表示画面２ａ側から被せて組み付ける際に、ＣＯＦ８は、ベゼル３の内面に沿って折り曲げられて収納される。この際、ＣＯＦ８が捲れることなく正常に折り曲げられて収納されていれば、ＣＯＦ８の２つの端部を、図６に示すように、２つの覗き孔９，１０からそれぞれ視認できるので、ＣＯＦ８が正常に収納されていることを確認することができる。
【００３３】
また、ＣＯＦ８が捲れて異常に折り曲げられた状態で収納されていれば、ＣＯＦ８の２つの端部を２つの覗き孔９，１０から視認できない。この場合は、表示パネル２とベゼル３との組み付けをやり直すことにより修正することができる。
【００３４】
尚、図６に示すように、覗き孔９，１０を樹脂又はガラス等の透明部材９ａ，１０ａにより封止しておけば、塵挨の表示装置１内への侵入を防止することができる。また、透明部材が樹脂テープであれば、簡単に覗き孔９，１０を封止することができる。
【００３５】
尚、本実施例では、ＣＯＦ８が、表示パネル２の右部の縁辺に接続されている場合について説明したが、機種によっては、例えば、反対側の辺が何れにも接続されていないゲートＣＯＦが、表示パネルの左部に接続されている構成、または、表示パネルの左右の両部に接続されている構成も存在する。このような場合でも、ベゼルが、ＣＯＦの折り曲げられた端部に対向する位置に、覗き孔を有するようにしておけば、同様の効果を奏することができる。本発明は、ＣＯＦの数量および接続位置を限定することなく適用することが可能である。また、フィルム基板８に実装されたドライバＩＣは、ゲートドライバＩＣに限られない。
【００３６】
（実施例２）
図７は、ＣＯＦの形状が長方形でない表示装置にあって、表示パネルにベゼルを被せて組み付ける際の覗き孔、ＣＯＦの適切な位置および状態の例を示す説明図である。この表示装置では、ＩＣチップ１１ａを搭載したＣＯＦ８ａは５角形であり、パネルシャーシ５に保持された表示パネル２に、ベゼル３を表示画面側から被せて組み付ける際に、ＣＯＦ８ａは、ベゼル３の内面に沿って折り曲げられて収納される。この例では、ＣＯＦ８ａの第２端辺は、複数の線分（直線部分）を含む。
【００３７】
この際、ＣＯＦ８ａが捲れることなく正常に折り曲げられて収納されており、ＣＯＦ８ａの折り曲げられた側の尖った先端部が、図７に示すように、１つの覗き孔１２から視認できるようにしておけば、ＣＯＦ８ａが正常に収納されていることを確認することができる。この表示装置のその他の構成および動作は、実施例１で説明した構成および動作と同様であるので、説明を省略する。
【００３８】
（実施例３）
図８は、ＣＯＦの形状が長方形でない他の表示装置にあって、表示パネルにベゼルを被せて組み付ける際の覗き孔、ＣＯＦの適切な位置および状態の例を示す説明図である。この表示装置では、ＩＣチップ１１ｂを搭載したＣＯＦ８ｂの折り曲げられる部分が円弧形状であり、パネルシャーシ５に保持された表示パネル２に、ベゼル３を表示画面側から被せて組み付ける際に、ＣＯＦ８ｂは、ベゼル３の内面に沿って折り曲げられて収納される。この例では、ＣＯＦ８ｂの第２端辺は、曲線部分を含む。
【００３９】
この際、ＣＯＦ８ｂが捲れることなく正常に折り曲げられて収納されており、ＣＯＦ８ｂの円弧形状をなす端部が、図８に示すように、１つの覗き孔１３から視認できるようにしておけば、ＣＯＦ８ｂが正常に収納されていることを確認することができる。この表示装置のその他の構成および動作は、実施例１で説明した構成および動作と同様であるので、説明を省略する。
【００４０】
本明細書の実施例１，２，３は、全ての点で例示であって制限的なものではないと考えるべきである。本発明の範囲は上述の説明ではなく特許請求の範囲によって示され、特許請求の範囲と均等の意味および範囲内での全ての変更が含まれることが意図される。
【符号の説明】
【００４１】
１  表示装置
２  表示パネル
２ａ  表示画面
３  ベゼル
４  ＢＬシャーシ
５  パネルシャーシ
６  導光板
７  光源部
８，８ａ，８ｂ  ＣＯＦ（フィルム基板）
９，１０，１２，１３  覗き孔（開口部）
９ａ，１０ａ  透明部材
１１，１１ａ，１１ｂ  ＩＣチップ（ドライバＩＣ）
【図１】
2020003526.tif 000003
【図２】
2020003526.tif 000004
【図３】
2020003526.tif 000005
【図４】
2020003526.tif 000006
【図５】
2020003526.tif 000007
【図６】
2020003526.tif 000008
【図７】
2020003526.tif 000009
【図８】
2020003526.tif 000010